(57)【要約】【課題】使い勝手の向上を実現したトイレットペーパーを提供する。【解決手段】トイレットペーパー１は、１枚又は重ねられた複数枚のウェブ２が長尺になるように加工され、長手方向に等間隔となるように幅方向に沿った切断用の複数のミシン目３を有し、かつ、巻回されたロール状のトイレットペーパーであり、ウェブ２は、パルプ及びレーヨンで構成されている。複数のミシン目３は、互いの間隔Ｓが２１０．３ｍｍ以上２３０．３ｍｍ以下である。【選択図】図１
0003230446.tif 000002
【実用新案登録請求の範囲】
【請求項１】
１枚又は重ねられた複数枚のウェブが長尺になるように加工され、長手方向に等間隔となるように幅方向に沿った切断用の複数のミシン目を有し、かつ、巻回されたロール状のトイレットペーパーであって、
前記ウェブは、パルプ及びレーヨンで構成されていることを特徴とする
トイレットペーパー。
【請求項２】
前記複数のミシン目は、互いの間隔が２１０．３ｍｍ以上２３０．３ｍｍ以下であることを特徴とする
請求項１に記載のトイレットペーパー。
【考案の詳細な説明】
【技術分野】
【０００１】
本考案は、トイレットペーパーに関する。
【背景技術】
【０００２】
トイレットペーパーは、１枚又は重ねられた複数枚のウェブが所定の大きさに加工されたものである。一般的なトイレットペーパーは、長尺になるように加工され、かつ、巻回されたロール状のものである（例えば、特許文献１参照）。
【先行技術文献】
【特許文献】
【０００３】
【特許文献１】特開２００３−０６１８６１号公報
【考案の概要】
【考案が解決しようとする課題】
【０００４】
一般的なトイレットペーパーは、健常者自身が使用することを目的に設計されたものであり、介護の現場では、トイレットペーパーの使い勝手の向上が求められている。
【０００５】
本考案は、上記課題を鑑みてなされたものであり、使い勝手の向上を実現したトイレットペーパーを提供することを目的とする。
【課題を解決するための手段】
【０００６】
（１）本考案は、１枚又は重ねられた複数枚のウェブが長尺になるように加工され、長手方向に等間隔となるように幅方向に沿った切断用の複数のミシン目を有し、かつ、巻回されたロール状のトイレットペーパーであって、前記ウェブは、パルプ及びレーヨンで構成されていることを特徴とするトイレットペーパーである。
【０００７】
本考案に係るトイレットペーパーによれば、パルプ及びレーヨンで構成されていることで、所定の強度を有しているので、ミシン目に沿ってきれいに切断でき、また、使用時に簡単に破れることはなく、使い勝手の向上を実現できる。
【０００８】
（２）本考案はまた、前記複数のミシン目は、互いの間隔が２１０．３ｍｍ以上２３０．３ｍｍ以下であることを特徴とする上記（１）に記載のトイレットペーパーである。
【０００９】
本考案に係るトイレットペーパーによれば、ミシン目に沿って切断される１つ分の長さで切断された後に２つ折りされた際の大きさが、手の大きさにぴったりと合う大きさになる。すなわち、本考案に係るトイレットペーパーによれば、ミシン目に沿って切断される２つ分の長さで切断された後に２つ折りされてから更に２つ折りされた際の大きさが、手の大きさにぴったりと合う大きさになる。このため、本考案に係るトイレットペーパーによれば、手の大きさにぴったりと合う大きさにして使用することができ、使い勝手の向上を実現できる。
【考案の効果】
【００１０】
本考案の上記（１）及び（２）に記載のトイレットペーパーによれば、使い勝手の向上を実現できる。
【図面の簡単な説明】
【００１１】
【図１】本考案の実施形態に係るトイレットペーパーの外観斜視図である。
【図２】図１に示すトイレットペーパーを示す図であり、（Ａ）は正面図であり、（Ｂ）は側面図である。
【図３】図１に示すトイレットペーパーの展開図である。
【図４】図１に示すトイレットペーパーの展開図であり、（Ａ）はミシン目に沿って切断される２つ分の長さで切断された状態を示し、（Ｂ）はミシン目に沿って切断される２つ分の長さで切断された後に２つ折りされた状態を示し、（Ｃ）はミシン目に沿って切断される２つ分の長さで切断された後に２つ折りされてから更に２つ折りされた状態を示す。
【考案を実施するための形態】
【００１２】
以下、図面を参照して、本考案の実施形態に係るトイレットペーパー１について詳細に説明する。
【００１３】
まず、図１、図２及び図３を用いて、実施形態に係るトイレットペーパー１について説明する。図１は、トイレットペーパー１の外観斜視図である。図２（Ａ）は、トイレットペーパー１の正面図である。図２（Ｂ）は、トイレットペーパー１の側面図である。図３は、トイレットペーパー１の展開図である。
【００１４】
図１、図２及び図３に示すトイレットペーパー１は、１枚又は重ねられた複数枚（例えば、２枚又は３枚）のウェブ２が長尺になるように加工され、長手方向に等間隔となるように幅方向に沿った切断用の複数のミシン目３を有し、かつ、巻回されたロール状のトイレットペーパーである。
【００１５】
トイレットペーパー１の幅Ｗは、１０５．５ｍｍ以上１１５．５ｍｍであることが好ましく、１１０．５ｍｍであることがより好ましい。トイレットペーパー１の長さＬは、適宜設定され、例えば２３ｍに設定される。ミシン目３は、互いの間隔Ｓが２１０．３ｍｍ以上２３０．３ｍｍ以下であることが好ましく、２２０．３ｍｍであることがより好ましい。トイレットペーパー１の芯寸Ｄ１は、適宜設定され、例えば４３．５ｍｍに設定される。トイレットペーパー１の巻寸Ｄ２は、適宜設定され、例えば１１０．５ｍｍに設定される。
【００１６】
ウェブ２は、パルプ及びレーヨンで構成される。ウェブ２におけるパルプ及びレーヨンの配合比率は、所定の強度を有するように、適宜設定される。結果として、トイレットペーパー１は、当該トイレットペーパー１が保持可能な量を超える水で当該トイレットペーパー１を濡らした状態で、当該トイレットペーパー１を重ねずに、１秒以上１０秒以下の時間をかけて、手指を用いて肛門を拭いた場合に破れない強度を有していることが望まれる。
【００１７】
次に、図４を用いて、トイレットペーパー１の望まれる使用方法を説明する。図４は、トイレットペーパー１の展開図である。図４（Ａ）は、ミシン目３に沿って切断される２つ分の長さで切断された状態を示す。図４（Ｂ）は、ミシン目３に沿って切断される２つ分の長さで切断された後に２つ折りされた状態を示す。図４（Ｃ）は、ミシン目３に沿って切断される２つ分の長さで切断された後に２つ折りされてから更に２つ折りされた状態を示す。
【００１８】
まず、トイレットペーパー１を、ミシン目３に沿って切断される２つ分の長さで切断する（図４（Ａ）参照）。そして、トイレットペーパー１を、２つ折りにする（図４（Ｂ）参照）。最後に、トイレットペーパー１を、更に２つ折りにする（図４（Ｃ）参照）。
【００１９】
これにより、１枚のウェブ２が加工されたシングルのトイレットペーパー１であれば８枚重ねのウェブ２になり、また、２枚のウェブ２が加工されたダブルのトイレットペーパー１であれば１６枚重ねのウェブ２になり、使用時に破れない十分な厚みとなる。また、手の大きさにぴったりと合う大きさになる。このため、トイレットペーパー１は、シャワートイレ用のトイレットペーパーとして用いることができる。
【００２０】
以上説明したように、このようなトイレットペーパー１によれば、パルプ及びレーヨンで構成されていることで、所定の強度を有しているので、ミシン目３に沿ってきれいに切断でき、また、使用時に簡単に破れることはなく、使い勝手の向上を実現できる。
【００２１】
また、このようなトイレットペーパー１によれば、ミシン目３に沿って切断される１つ分の長さで切断された後に２つ折りされた際の大きさが、手の大きさにぴったりと合う大きさになる。すなわち、このようなトイレットペーパー１によれば、ミシン目３に沿って切断される２つ分の長さで切断された後に２つ折りされてから更に２つ折りされた際の大きさが、手の大きさにぴったりと合う大きさになる。このため、このようなトイレットペーパー１によれば、手の大きさにぴったりと合う大きさにして使用することができ、使い勝手の向上を実現できる。
【００２２】
なお、本考案は、上記実施形態に限定されるものではなく、その趣旨及び技術思想を逸脱しない範囲で種々の変更が可能である。すなわち、各構成の位置、大きさ、長さ、形状、材質などは適宜変更できる。
【符号の説明】
【００２３】
１  トイレットペーパー
２  ウェブ
３  ミシン目
Ｗ  幅
Ｌ  長さ
Ｓ  間隔
Ｄ１  芯寸
Ｄ２  巻寸
【図１】
0003230446.tif 000003
【図２】
0003230446.tif 000004
【図３】
0003230446.tif 000005
【図４】
0003230446.tif 000006